(57)【要約】      （修正有）【課題】ワイングラスを迅速に乾かすことができるワイントレイを提供する。【解決手段】ワイントレイは、ベース１と取っ手２とお盆３とを備え、ベース１には複数の小型乾燥機５が連結され、取っ手２の両側はローラベアリング４を介してそれぞれベース１及びお盆３と連結し、ベース１とお盆３は回転自由であり、お盆３の外縁は均等に複数の円形切りかけ部を形成し、円形切りかけ部は、２種類のサイズを有し、円形切りかけ部の内壁には滑り止め用のゴムスリーブを形成し、円形切りかけ部の両側はテーパ状のストリップ溝３１で連結され、円形切りかけ部の切りかけ部はスライドスイッチと連結し、且つ円形切りかけ部の直径はワイングラスの本体より小さく、脚部より大きく、小型乾燥機５は電地を内蔵し、単一方向電磁波で加熱する。【選択図】図１
0003209468.tif 000002
【実用新案登録請求の範囲】
【請求項１】
ワイントレイであって、ベース（１）、取っ手（２）、お盆（３）を備え、前記ベース（１）には、複数の小型乾燥機（５）が嵌入され、前記取っ手（２）にはゴムスリーブ（２１）が設けられ、前記お盆（３）の外縁には均等に複数の円形切りかけ部（３２）が形成され、前記円形切りかけ部（３２）は異なるサイズのワイングラスに対応する２つのサイズを有し、前記円形切りかけ部（３２）の内壁にゴムスリーブ（３６）が設けられることを特徴とするワイントレイ。
【請求項２】
請求項１に記載のワイントレイであって、前記ゴムスリーブには滑り止め用のパターンが形成されていることを特徴とするワイントレイ。
【請求項３】
請求項１に記載のワイントレイであって、前記小型乾燥機（５）の内側にバッテリが設けられ、前記小型乾燥機（５）には単一方方向電磁波で加熱することを特徴とするワイントレイ。
【請求項４】
請求項１に記載のワイントレイであって、前記お盆（３）と前記ベース（１）は、それぞれローラベアリングを介して取っ手（２）と連結され、前記ベース（１）と前記お盆（３）は回転自由であることを特徴するワイントレイ。
【請求項５】
請求項４に記載のワイントレイであって、
前記ローラベアリング（４）は、インナーリング（４２）、アウタリング（４５）、保持構造（４４）、とローラ（４３）とを備え、前記インナーリング（４２）は取っ手（２）に設け、アウタリング（４５）はそれぞれベースとお盆に設け、前記ローラベアリング（４）とお盆（３）の連結部分の上にベアリングギャップ（４１）が設けられ、前記ベアリングギャップ（４１）は前記お盆（３）の中心に位置する中心穴と連結されることを特徴とするワイントレイ。
【請求項６】
請求項１に記載のワイントレイであって、
前記円形切りかけ部（３２）の直径はワイングラス本体の直径より小さく、ワイングラスの脚部よりは大きく、前記円形切りかけ部（３２）の側面はお盆の底から上に向けてランプ状になっていることを特徴とするワイントレイ。
【請求項７】
請求項１乃至請求項６のいずれかに記載のワイントレイであって、前記円形切りかけ部（３２）の両側はストリップ溝（３１）で連結され、前記円形切りかけ部（３２）の切りかけ部はスライドスイッチ（３３）と連結されることを特徴とするワイントレイ。
【請求項８】
請求項７に記載のワイントレイであって、前記ストリップ溝（３１）はテーパ状であって、前記溝の幅は前記ワイングラスの本体直径より小さく、前記ワイングラスの脚部よりは大きいことを特徴とするワイントレイ。
【考案の詳細な説明】
【技術分野】
【０００１】
本実用新案は、ワイングラストレイに関するものである。
【背景技術】
【０００２】
現代社会において、人々は食生活に対する認識が強くなっており、パーティの際、ワインを飲むのが普通となっている。
【考案の概要】
【考案が解決しようとする課題】
【０００３】
しかし、ワイングラスのグラス本体が大きくて、脚が細長いため、ウエイターが従来のトレイを使うと、バランスを取るのが難しくて、且つ手滑りが発生しやすく、お客様の服にワインがこぼれて、パーティの雰囲気を悪くすることがある。
【０００４】
従って、人々はワイントレイについて様々な工夫をしてきた。例えば、中国実用新案２００８２０１８２３３２．６に記載のワイントレイは、トレイの一方での中央からストリップ溝によって繋がれる円形切り口を設け、且つワイングラスの形と合わせるため、円形切り口は横から見るとランプ状にされている。前記トレイは、ある程度ワイングラスがトレイ上で滑り易くなる問題を解決したが、円形切り口のサイズが同じであるため、パーティにおける異なるサイズのワイングラスには適用していない。また、円形切り口には滑り防止構造がないため、使用する際、ワイングラスの滑りを効果的に防止することができない。さらい、円形切り口の外側にも保護構造が設置されていないため、ワイングラスがトレイから滑り落ちることも有効に防止することができない。また、前記のトレイは持ち上げ時の問題を解決していない。ウエイターが前記トレイを持ち上げる時、依然として大きな力で持ち上げなければならない。従って、混んでいる時にお客さんと衝突を引き起こしやすい。
【課題を解決するための手段】
【０００５】
前記課題の解決を鑑みて、本考案は後述のようなワイントレイを提供する。
【０００６】
本考案のワイントレイは、ベース、取っ手、お盆を備え、前記ベースには、複数の小型乾燥機が嵌入され、前記取っ手の両側はそれぞれローラベアリングを介してベース及びお盆と連結され、前記お盆の外縁部には均等に複数の円形切りかけ部が配置される。
【０００７】
また、前記小型乾燥機の内部にはバッテリを有し、且つ単一方向電磁波で加熱する。ワイングラスをトレイに逆放置するとき、前記小型乾燥機がオンになり、ワイングラスを迅速に乾かすことができる。
また、滑り止め用としてパターンが形成されるゴムスリーブを取っ手の周りに設けるため、グラスを持ち上げるとき、グラスが手から滑り落ちる問題を有効に防止することができる。
【０００８】
更に、前記ローラベアリングは、インナーリング、アウタリング、保持構造、およびローラを備え、前記インナーリングは取っ手に設け、アウタリングはそれぞれベースとお盆に設け、ローラベアリングとトレイの連結部分の上にギャップが設けられる。
【０００９】
また、本考案のワイントレイは回転可能であるため、お客様が違う位置で便利にワイングラスを取ることができる。また、自由に回転可能なため、各方向でワイングラスを乾燥することができる。
また、トレイの中央位置に中心穴が設けられ、前記中心穴はローラベアリングキャップと連結される。
【００１０】
また、前記円形切りかけ部には２種類のサイズがあるため、それぞれ異なる規格のワイングラスにも適している。且つ前記円形切りかけ部の内側に滑り防止パターンを形成したゴムスリーブを設ける。前記円形切りかけ部のかけ部がスライドスイッチと連結され、前記円形切りかけ部の直径はワイングラスの本体部の直径より小さく、且つワイングラスの脚部の直径よりは大きい。
また、円形切りかけ部の両側はストリップ溝で連結する。
【００１１】
また、前記のストリップ溝はテーパ形をなしており、その幅はワイングラスの本体直径よりは小さく、且つ脚部直径よりは大きいように形成している。
また、前記円形切りかけ部の側面は、ワイングラスの形と合わせるために底部から上に向けてランプ状になしており、これによってワイングラスの置き取りしやすくしている。
また、前記スライドスイッチと掛けかね部と連結され、ワイングラスを円形切りかけ部に放置する時、スライドドアと掛けかねが連結されて、ワイングラスが円形切りかけ部から滑り落ちることを防止することができる。
【考案の効果】
【００１２】
本考案におけるワイントレイには小型乾燥機が設けられているため、洗浄後のワイングラスを前記円形切掛け部に逆置きし、小型乾燥機のスイッチをオンにすれば、洗浄したワイングラスを迅速に乾燥することができる。
【００１３】
同時にベースと取っ手がローラベアリングを介して連結しているため、ベースが自由に回転でき、これによってワイングラスと小型乾燥機の接触を多くすることができるので迅速にワイングラスを乾燥することができる。
【００１４】
取っ手上にゴムスリーブが設けており、前記ゴムスリーブには滑り止めパターンが形成しているため、手滑りを有効に防止することができる。お盆はローラベアリングを介して取っ手と連結しており、お盆も自由に回転できるため、使用者が異なる位置でワイングラスを取ることができる。
【００１５】
また、お盆に円形切りかけ部が２種類のサイズでできているため、異なる規格のワイングラスを使用することができる。
【００１６】
円形切りかけ部の内壁にゴムスリーブを設け、且つゴムスリーブ上に滑り止めパターンが形成しており、ワイングラスを放置する時のワイングラスの揺れを防止し、同時に円形切りかけ部の両側にテーパ状のストリップ溝と連通し、ストリップ溝の側面はテーパ状になっているため、ワイングラスの取り置きが便利になっている。
【００１７】
円形切りかけ部のかけ部にスライドスイッチと連結し、スライドスイッチは掛けかねと連結し、これによってワイングラスを円形切りかけ部に置く時、スライドスイッチと掛けかねと連結され、ワイングラスが円形切りかけ部から滑り出すことを有効に防止することができる。
【図面の簡単な説明】
【００１８】
【図１】ワイングラストレイの正面からの断面模式図
【図２】上からワイングラストレイを見た時の図
【図３】ローラベアリングの構造図
【図４】取っ手の構造図
【考案を実施するための形態】
【００１９】
以下、本考案の実施形態を、図を基に説明する。
【００２０】
（実施例１）
図１〜図４を参照に実施例１に開示のワイングラストレイを説明する。本実施例のワイングラストレイは、ベース１、お盆３と取っ手２とを備えている。ベース１には複数の小型乾燥機５が設けられ、取っ手２の両側はそれぞれローラベアリング４を介してベース１、お盆３と連結し、お盆３の外縁部には均等に複数の円形切りかけ部３２を有し、前記円形切りかけ部３２は２つサイズになっており、且つ円形切りかけ部３２の直径がワイングラス本体よりは小さく、且つ脚部直径よりは大きい。使用者は、サイズが異なるグラスを円形切りかけ部に置く時、前記円形切りかけ部３２の内部に滑り止め用パターンが形成されたゴムスリーブがはめられているため、ワイングラスは円形切りかけ部に安定的に置くことができる。ワイングラスを円形切りかけ部３２に置く時、円形切りかけ部３２の切りかけ部のスライドスイッチ３３と掛けかね３４とが連結されているため、ワイングラスが円形切りかけ部３２から滑り落ちることを有効に防止できる。
【００２１】
取っ手２とお盆３はローラベアリング４と連結され、ローラベアリング４はインナーリング４２、アウタリング４５、保持構造４４、ローラ４３を備え、ローラベアリング４のインナーリング４２は取っ手２に設け、アウタリング４５はお盆３に設け、ローラベアリング４とお盆３の連結部の上にベアリングギャップ４１が設けられ、お盆３の中心に中心穴３５を有し、中心穴３５とベアリングギャップ４１と連結し、お盆３は自由に回転できて使用者が異なる方向で用意にグラスを取るように設計されている。円形切りかけ部３２の両側にテーパ状のストリップ溝３１と連結し、ストリップ３１の幅はワイングラスの本体直径より小さく、脚部より大きい。円形切りかけ部３２の側面はお盆の底から上に向けてランプ状に形成され、ワイングラス本体と合うようにすることで、用意にワイングラスを取り置きすることができる。お盆３を使用する時、使用者がお盆３の取っ手２を取り、取っ手２には滑り止めパターンが形成されているゴムスリーブ２１が設けられているため、手滑り問題を有効に防止している。同時にベース１は自由に回転できる。
【００２２】
（実施例２）
図１〜４に示すように、本考案のワイントレイはベース１、取っ手２、お盆３とを備え、前記ベース１には小型乾燥機５と連結され、前記取っ手２の両側はローラベアリングを介してそれぞれベース１とお盆３と連結され、お盆３の外側に均等に複数の円形切りかけ部３２を形成し、円形切りかけ部３２には２種類のサイズを有し、円形切りかけ部３２の直径はガラス本体直径より小さく、脚部よりは大きい。使用者は、サイズが異なるワイングラスは逆置きで円形切りかけ部３２に置く場合、円形切りかけ部３２の内壁には滑り止めパターンが形成されるゴムスリーブ３６が設けられているため、ワイングラスは安定に円形切りかけ部３２に置くことができ、滑り落ちることを防止することができる。ワイングラスを円形切りかけ部３２に置くと同時に円形切りかけ部３２の切りかけ部と掛けかね３４と連結され、ワイングラスを円形切りかけ部３２に置く場合、ワイングラスが円形切りかけ部３２から滑り落ちることを防止することができる。取っ手２とお盆３はローラベアリング４と連結され、ローラベアリング４はインナーリング４２、アウタリング４５、保持構造４４とローラ４３を備え、ローラベアリング４のインナーリング４２は取っ手２に設け、アウタリング４５はお盆３に設け、ローラベアリング４とお盆３の連結部の上方にベアリングギャップ４１が設けられ、お盆３の中心に中心穴３５が形成され、中心穴３５とベアリング４１とを連結し、これによってお盆３が自由に回転できて、使用者が異なる位置からグラスを置くことができる。
【００２３】
当時に円形切りかけ部３２の両側にテーパ状のストリップ溝３１と連結し、ストリップ溝３１の幅はワイングラス本体の直径よりは小さく、且つ脚部より大きい。円形切りかけ部３２はお盆の底から上に向けてランプ状になっており、これによってワイングラスの本体と形状が合い、ワイングラスの取り置きをしやすくしている。お盆３を使用する過程で、使用者が手でお盆３の取っ手２を掴むが、取っ手２に滑り止用のパターンのゴムスリーブが形成しているため、手が滑ることを有効に防止することができると共にベース１を自由に回転させることができる。前記円形切りかけ部３２にサイズが異なる２種類のワイングラスを置く時、小型乾燥機５上のスイッチ５１をオンにし、小型乾燥機はシングル方向電磁波で加熱し、同時にベース１とお盆３を自由に回転することができ、これによってワイングラスと小型乾燥機５間で空気流を対流させて、迅速にグラスを乾燥させることができる。
【００２４】
以上は、本考案の具体的実施例について説明したが、当該内容は本考案を実施するための最良な事例に過ぎず、本考案は、当該実施例によって限られるものではない。本考案の思想で行うその他の実施例も本実用新案の開示内容に属する。
【符号の説明】
【００２５】
１．ベース
２．取っ手
３．お盆
４．ローラベアリング
５．小型乾燥機
２１．ゴムスリーブ
３１．ストリップ溝
３２．円形切りかけ部
３３．スライドスイッチ
３４．掛けかね
３５．中央穴
３６．ゴムスリーブ
４１．ベアリングギャップ
４２．インナーリング
４３．ローラ
４４．保持構造
４５．アウタリング
５１．スイッチ
【図１】
0003209468.tif 000003
【図２】
0003209468.tif 000004
【図３】
0003209468.tif 000005
【図４】
0003209468.tif 000006